(57)【特許請求の範囲】
【請求項１】
釣糸が挿通するガイドリングと、該ガイドリングを保持するガイドフレームとを備えた釣糸ガイドであって、
ガイドフレームは、ガイドリングを保持する枠部と、釣竿のブランクに取り付けるための取付脚部と、枠部と取付脚部とを連結する左右一対の支持脚部とを有し、枠部は、金属製の線材がＵ字状に曲げられることにより、ガイドリングの外周面全周のうち所定範囲のみを周回するように構成され、
ガイドリングの全周のうちガイドフレームの枠部が周回していない非周回部分を保持する補填部材を備え、
補填部材は、ガイドフレームがガイドリングの外周面から離れていく左右二箇所の離反点近傍に位置する左右一対の補填部と、両補填部同士を連結する連結部とを備えた一部材の構成であり、
補填部材は、内面と外面とを有し、補填部材の内面は、ガイドリングの外周面に当接し、補填部材の外面は、取付脚部から離間しており、
補填部材の外面と取付脚部と左右一対の支持脚部との間には空間が形成されていることを特徴とする釣糸ガイド。
【請求項２】
補填部材の外面は、ガイドリングの外周面に対応した円弧状部と、該円弧状部の両側にそれぞれ形成されて、ガイドフレームに近づくにつれて徐々にガイドリングから離れていくように凹状に湾曲した左右一対の曲面部とを備えている請求項１記載の釣糸ガイド。
【請求項３】
補填部材は、左右一対の支持脚部に当接する左右両側面を有し、補填部材の左右両側面には、支持脚部と係合する係合溝がそれぞれ形成されている請求項１記載の釣糸ガイド。
【請求項４】
釣糸が挿通するガイドリングと、該ガイドリングを保持するガイドフレームとを備えた釣糸ガイドであって、
ガイドフレームは、金属製の線材がＵ字状に曲げられることにより、ガイドリングの外周面全周のうち所定範囲のみを周回するように構成され、
ガイドフレームがガイドリングの外周面から離れていく左右二箇所において、ガイドリングの外周面には、それぞれ、ガイドフレームとガイドリングの外周面との間の空間を補填する外側に突出する補填用凸部が、ガイドリングの一部分を構成するものとしてガイドリングに一体的に形成されていることを特徴とする釣糸ガイド。
【請求項５】
補填用凸部の外面には、ガイドフレームに近づくにつれて徐々に外側に向かう凹状に湾曲した曲面部を備えている請求項４記載の釣糸ガイド。
【請求項６】
ガイドリングの内外方向の肉厚は、ガイドフレームが周回している周回部分よりもガイドフレームが周回していない非周回部分の方が厚い請求項４又は５記載の釣り糸ガイド。
【請求項７】
線材の線径は、ガイドリングの中心線の方向の幅に対して、それと等しいかあるいはそれよりも細い請求項１乃至６の何れかに記載の釣糸ガイド。
【請求項８】
請求項１乃至７の何れかに記載の釣糸ガイドを備えていることを特徴とする釣竿。
【請求項９】
外周面全周のうち所定範囲のみを周回するように金属製の線材がＵ字状に曲げられたガイドフレームによって保持されるガイドリングであって、
外周面のうちガイドフレームが離れていく左右二箇所には、それぞれ、ガイドフレームとの間の空間を補填するための外側に突出する補填用凸部が、ガイドリングの一部分を構成するものとしてガイドリングに一体的に形成されていることを特徴とする釣糸ガイドのガイドリング。
【発明の詳細な説明】
【技術分野】
【０００１】
本発明は、釣糸を案内するための釣糸ガイドと、それを備えた釣竿と、釣糸ガイドのガイドリングに関する。
【背景技術】
【０００２】
釣糸を案内するための釣糸ガイドは、例えば下記特許文献１所載のように、金属板を打ち抜くことによって形成されたガイドフレームと、該ガイドフレームの孔に取り付けられて釣糸を案内するガイドリングとを備えたものが一般的である。しかしながら、ガイドフレームが金属板を打ち抜いて形成されたものであるため、強度を確保しつつ軽量化を図ることには限界がある。
【０００３】
そこで、本発明者らは、釣糸ガイドの更なる軽量化を図るべく種々検討を重ね、その中でガイドフレームを金属製の線材から構成することを検討した。即ち、金属製の線材をガイドリングの外周面に沿ってＵ字状に曲げ加工することによって、線材からなるガイドフレームでガイドリングを保持するという構成である。このようにガイドフレームを金属製の線材から構成すれば、従来のようにガイドフレームを金属板から構成する場合に比してガイドフレームを軽量化することができる。そして、金属製の線材でガイドリングの略全周を周回してそれを保持することも可能ではあるが、ガイドリングの全周のうちの所定範囲のみを周回するように線材をＵ字状に曲げ加工すると、線材の曲げ加工工程も容易になる。
【０００４】
しかしながら、線材からなるガイドフレームがガイドリングから離れていく左右二箇所において、ガイドフレームとガイドリングとの間の空間が深い谷のように凹んだ形状となることから、その箇所において糸絡みが発生しやすいということが判明した。
【先行技術文献】
【特許文献】
【０００５】
【特許文献１】特開２００１−２３８５７７号公報
【発明の概要】
【発明が解決しようとする課題】
【０００６】
それゆえに本発明は、釣糸ガイドの更なる軽量化を図ると共に糸絡みの発生を抑制することを課題とする。
【課題を解決するための手段】
【０００７】
本発明は上記課題を解決すべくなされたものであって、本発明に係る釣糸ガイドは、釣糸が挿通するガイドリングと、該ガイドリングを保持するガイドフレームとを備えた釣糸ガイドであって、ガイドフレームは、ガイドリングを保持する枠部と、釣竿のブランクに取り付けるための取付脚部と、枠部と取付脚部とを連結する左右一対の支持脚部とを有し、枠部は、金属製の線材がＵ字状に曲げられることにより、ガイドリングの外周面全周のうち所定範囲のみを周回するように構成され、ガイドリングの全周のうちガイドフレームの枠部が周回していない非周回部分を保持する補填部材を備え、補填部材は、ガイドフレームがガイドリングの外周面から離れていく左右二箇所の離反点近傍に位置する左右一対の補填部と、両補填部同士を連結する連結部とを備えた一部材の構成であり、補填部材は、内面と外面とを有し、補填部材の内面は、ガイドリングの外周面に当接し、補填部材の外面は、取付脚部から離間しており、補填部材の外面と取付脚部と左右一対の支持脚部との間には空間が形成されていることを特徴とする。
【０００８】
該構成の釣糸ガイドにあっては、金属製の線材がＵ字状に曲げられることによりガイドフレームが構成されているので、金属板からなるガイドフレームに比して容易に軽量化できる。一方、ガイドフレームはガイドリングの全周のうちの所定範囲のみを周回しているので、ガイドフレームがガイドリングの外周面から離れていく箇所が左右二箇所存在する。その二箇所は、ガイドフレームが周回していない非周回部分の周方向両端部でもあるが、その二箇所において補填部材がガイドフレームとガイドリングの外周面との間の空間を補填しているので、その二箇所において釣糸が絡みにくくなる。また、補填部材によってガイドフレームとガイドリングの外周面との間の空間が補填されることでガイドリングの保持力も高まり、釣糸ガイドの強度もアップする。
【０００９】
特に、補填部材の外面は、ガイドリングの外周面に対応した円弧状部と、該円弧状部の両側にそれぞれ形成されて、ガイドフレームに近づくにつれて徐々にガイドリングから離れていくように凹状に湾曲した左右一対の曲面部とを備えていることが好ましく、該曲面部によって糸絡みがより一層抑制される。
【００１１】
また、補填部材は、左右一対の支持脚部に当接する左右両側面を有し、補填部材の左右両側面には、支持脚部と係合する係合溝がそれぞれ形成されていることが好ましく、ガイドフレームと補填部材との一体性がより一層高まって強度もアップする。
【００１２】
また、本発明に係る釣糸ガイドは、釣糸が挿通するガイドリングと、該ガイドリングを保持するガイドフレームとを備えた釣糸ガイドであって、ガイドフレームは、金属製の線材がＵ字状に曲げられることにより、ガイドリングの外周面全周のうち所定範囲のみを周回するように構成され、ガイドフレームがガイドリングの外周面から離れていく左右二箇所において、ガイドリングの外周面には、それぞれ、ガイドフレームとガイドリングの外周面との間の空間を補填する外側に突出する補填用凸部が、ガイドリングの一部分を構成するものとしてガイドリングに一体的に形成されていることを特徴とする。
【００１３】
該構成の釣糸ガイドにあっては、ガイドフレームがガイドリングの外周面から離れていく左右二箇所において、ガイドリングの外周面に補填用凸部が形成されているので、上述の補填部材を備える構成と同様に、その左右二箇所において釣糸が絡みにくくなると共に、ガイドリングの保持力も高まり、釣糸ガイドの強度もアップする。
【００１４】
特に、補填用凸部の外面には、ガイドフレームに近づくにつれて徐々に外側に向かう凹状に湾曲した曲面部を備えていることが好ましく、該曲面部によって糸絡みがより一層抑制される。
【００１５】
また、ガイドリングの内外方向の肉厚は、ガイドフレームが周回している周回部分よりもガイドフレームが周回していない非周回部分の方が厚いことが好ましい。非周回部分におけるガイドフレームの厚さを相対的に厚くすることにより、ガイドフレームによって保護されていない非周回部分の強度を確保することができて非周回部分におけるガイドリングの破損を防止できると共に釣糸ガイドの強度も向上でき、また、ガイドリングを全周に亘って肉厚にする構成に比して軽量化も図れる。
【００１６】
更に、線材の線径は、ガイドリングの中心線の方向の幅に対して、それと等しいかあるいはそれよりも細いことが好ましく、より一層軽量化することができると共に曲げ加工も容易になる。
【００１７】
また、本発明に係る釣竿は、このような釣糸ガイドが装着されたものである。
【００１８】
更には、本発明に係る釣糸ガイドのガイドリングは、外周面全周のうち所定範囲のみを周回するように金属製の線材がＵ字状に曲げられたガイドフレームによって保持されるガイドリングであって、外周面のうちガイドフレームが離れていく左右二箇所には、それぞれ、ガイドフレームとの間の空間を補填するための外側に突出する補填用凸部が、ガイドリングの一部分を構成するものとしてガイドリングに一体的に形成されていることを特徴とする。
【発明の効果】
【００１９】
以上のように、金属製の線材をＵ字状に曲げてガイドフレームを構成することによりガイドフレームを軽量化でき、補填部材を備えたり、あるいは、ガイドリングの外周面に補填用凸部を形成したりすることで、糸絡みも抑制され、しかも、釣糸ガイドの強度も向上する。
【図面の簡単な説明】
【００２０】
【図１】本発明の一実施形態における釣糸ガイドを前側からガイドリングの中心線の方向に見た正面図。
【図２】図１のＡ−Ａ断面図。
【図３】同釣糸ガイドに使用されている補填部材を示し、（ａ）はガイドリングを保持する側から見た平面図、（ｂ）は正面図。
【図４】同釣糸ガイドを釣竿に装着したときの状態を示す要部断面図。
【図５】本発明の他の実施形態における釣糸ガイドを示す図１に対応した正面図。
【図６】同釣糸ガイドに使用されているガイドリングを示し、（ａ）は正面図、（ｂ）は断面図。
【発明を実施するための形態】
【００２１】
以下、本発明の一実施形態に係る釣糸ガイドについて図１〜図４を参酌しつつ説明する。釣糸ガイド１は、釣糸を直接案内するためのガイドリング２と、該ガイドリング２を保持するためのガイドフレーム３と、ガイドフレーム３がガイドリング２の外周面２ｂから離れていく左右二箇所においてガイドフレーム３とガイドリング２の外周面２ｂとの間の空間を補填するための補填部材６とから構成されている。
【００２２】
ガイドリング２は、図１に示すように例えば円形の環状であるが、楕円形や長円形等であってもよい。本実施形態においてはガイドリング２が円形の場合について説明する。ガイドリング２は、例えばＳｉＣ（シリコンカーバイト）に代表されるセラミック等の耐摩耗性に優れた硬質材料からなり、釣糸が挿通する糸挿通孔を有しており、内周面２ａを釣糸が摺動することで釣糸を直接案内する。図２に示すようにガイドリング２の外周面２ｂには、ガイドフレーム３との接触面積を拡大させるために、断面視においてガイドリング２の中心線Ｔの方向に沿った平面部が形成されている。尚、ガイドリング２の外周面２ｂに、ガイドフレーム３が係合可能なように内側凸（中止側凸）の溝を周方向に沿って形成してもよく、そのように周方向の溝を形成する場合には、それを全周に亘って形成してもよいし、ガイドフレーム３の周回部分４０のみに形成するようにしてもよい。一方、ガイドリング２の内周面２ａには断面視において内側凸となる曲面を形成することが好ましく、特に、前後の角部を曲面とすることが好ましい。尚、本実施形態においてガイドリング２の径方向（内外方向）の厚さは全周に亘って略一定となっている。
【００２３】
ガイドフレーム３は、その内側にガイドリング２を保持する円弧状の枠部１０と、釣竿のブランク４の外周面に取り付けるための取付脚部１２と、枠部１０と取付脚部１２との間に位置して枠部１０と取付脚部１２とを連結する支持脚部１１とから構成される。かかるガイドフレーム３は、金属製の線材から構成されており、一本の線材をガイドリング２の外周面２ｂに沿ってＵ字状に曲げ加工することにより形成されている。線材は、例えばチタン合金やステンレス、アルミニウム合金からなる、中実のもの、中空のものであって、特に、軽量化の観点と、ガイドリング２との接触面積を確保しやすいことから、中空のもの、即ち、線状パイプ材が好ましい。線材の線径（外径）は例えば０．３〜６ｍｍ、好ましくは１〜３ｍｍであって、ガイドリング２の中心線Ｔの方向の幅ＷＧと比較すると、それと等しいか、あるいは、それよりも細いものであることが好ましい。軽量化の観点から、ガイドリング２の中心線Ｔの方向の幅ＷＧよりも細い線状パイプ材を使用することが好ましい。
【００２４】
上述したようにガイドフレーム３は一本の線材を曲げ加工することによって形成されているが、その形状は図１のように正面視においてはＵ字状に二つ折りの状態に曲げられていて両端部５が一方向に揃えられた状態にあり、図２のように側面視においては折り曲げ部１３によって略くの字状に折り曲げられた状態にある。従って、線材は折り曲げ部１３によって二つの領域に区画することができ、折り曲げ部１３から両端部５までの先端領域とその間の中間領域とに区画される。先端領域から取付脚部１２が構成され、中間領域から枠部１０と支持脚部１１とが構成される。また、一本の線材を全体としてＵ字状に曲げてガイドフレーム３を構成しているため、支持脚部１１と取付脚部１２は何れも線材が左右に二本並んだ二本足の構成となっている。尚、左右の足は左右対称形状とされている。
【００２５】
枠部１０はガイドリング２の外形形状に沿った略Ｃ字状である。従って、枠部１０の形状はガイドリング２の形状によって異なり、本実施形態では円形のガイドリング２を使用しているため枠部１０もそれに対応して円弧状であるが、楕円形のガイドリング２を使用する場合には枠部１０もそれに対応して楕円弧状となる。枠部１０は、ガイドリング２の全周のうち所定範囲のみに当接してそれを保持する。枠部１０がガイドリング２を周回する周回部分４０の中心角は少なくとも１８０度であることが好ましく、特に、１８０度〜２４０度であることが好ましい。従って、枠部１０はガイドリング２の少なくとも半周を周回することが好ましい。
【００２６】
尚、図２においては、枠部１０における線材の断面形状が元の円形のまま維持された場合を図示しているが、ガイドリング２との接触面積を増大させるべく枠部１０の内周面に相当する部分に平面部を形成してもよいし、ガイドリング２の径方向（枠部１０の径方向）に圧縮された楕円形状とされてもよい。
【００２７】
支持脚部１１は、枠部１０の周方向両端部からそれぞれ延びている。左右一対の支持脚部１１は枠部１０から離れる程に互いの間隔を徐々に狭めながらガイドリング２から離れるように延びており、取付脚部１１側の端においてはその間隔はほとんど０となっていて互いに左右に当接した状態となっており、左右一対の支持脚部１１は全体として正面視略Ｖ字状になっている。尚、支持脚部１１は直線状に延びていてもよいが、図１のように正面視において若干左右外側に膨出するように湾曲していてもよい。また、支持脚部１１は、図２に示すように、側面視において若干前側に膨出するように湾曲していることが好ましい。
【００２８】
折り曲げ部１３によって取付脚部１２に対する枠部１０及び支持脚部１１が所定角度で起立することになり、図２のように９０度未満の傾斜角度であってもよいし、略直角で起立するようにしてもよい。取付脚部１２は、ブランクに取り付けるために必要な長さを有している。左右一対の取付脚部１２は、互いに当接した状態とされていて後方に向けて一直線状に延びている。
【００２９】
補填部材６は、ガイドフレーム３の内側であって、ガイドリング２に対して取付脚部１２側（ブランク４への装着状態においてはブランク４に近い側）に位置している。ガイドフレーム３の左右の支持脚部１１がそれぞれガイドリング２の外周面２ｂから離れていく左右二箇所においては、支持脚部１１とガイドリング２の外周面２ｂとの間に急峻な谷状の空間が略Ｖ字状となって形成されるが、この左右二箇所の空間を補填部材６が補填している。具体的には、補填部材６は、図３にも示しているように、左右の空間にそれぞれ位置する左右一対の補填部２０と、両補填部２０同士を連結する連結部２１とを備えた一部材の構成となっている。補填部２０は、ガイドリング２とガイドフレーム３との間の空間に対応してその空間に挿入できるように、図１及び図３（ｂ）に示すような正面視において、ガイドリング２からガイドフレーム３が離れる離反点Ｐに向けて徐々に細くなっていく先細り形状とされていて、逆に言えば、その離反点Ｐから離れる程に幅広となっている。また、連結部２１は、ガイドリング２の外周面２ｂに沿って弧を描くように延びている。
【００３０】
補填部材６は、内面２２と、外面２３と、左右一対の側面２４とを備えている。補填部材６の内面２２は、ガイドリング２を保持すべくその外周面２ｂに当接する。従って、補填部材６の内面２２は、ガイドリング２の外周面２ｂに対応して正面視円弧状に形成されている。また、補填部材６の内面２２は、ガイドリング２の外周面２ｂとの接触面積を十分に確保できるようにガイドリング２の外周面２ｂに対応した断面形状であることが好ましく、本実施形態では、図２に示すように、ガイドリング２の外周面２ｂが平面部を有する形状となっているので、それに対応して平面部を有する形状に形成されている。
【００３１】
補填部材６の外面２３は、内面２２とは反対側に位置して内面２２と対向している。補填部材６の外面２３は、ガイドリング２の外周面２ｂに対応して、内面２２及びガイドリング２と同心円状の円弧状部２３ａと、該円弧状部２３ａの両側にそれぞれ形成されて、ガイドフレーム３に近づくにつれて徐々にガイドリング２から離れていくように凹状に湾曲した左右一対の曲面部２３ｂとを備えている。補填部材６の外面２３の曲面部２３ｂは、換言すれば、補填部材６の左右方向両端に近づくにつれて徐々に補填部材６の内面２２から離れていくように湾曲している。
【００３２】
補填部材６の側面２４は、ガイドフレーム３の支持脚部１１の内側に当接する。補填部材６の側面２４には、好ましくは、図３（ａ）のように、ガイドフレーム３が係合可能な係合溝２４ａが形成される。図３（ａ）においてガイドフレーム３の断面を二点鎖線で示しているが、係合溝２４ａは、断面視において、ガイドフレーム３の外径に対応した円弧状である。尚、補填部材６の前後方向の幅は、ガイドリング２の中心線Ｔの方向に沿った補填部材６の寸法であるが、その幅は、図２のように、ガイドリング２の中心線Ｔの方向の幅ＷＧに対して略等しいことが好ましい。従って、補填部材６の前後方向の幅は、ガイドフレーム３を構成している線材の線径よりも大きいことが好ましい。
【００３３】
補填部材６の材質は、比重が小さいものが好ましく、例えば、硬質樹脂や繊維強化樹脂とすることができ、特に、強化繊維にカーボン繊維を使用した繊維強化樹脂とすることが好ましい。
【００３４】
以上のように構成された釣糸ガイド１は例えば以下のような順で製造される。即ち、ガイドリング２の所定位置に補填部材６の内面２２を当接させ両者を接着固定する。そして、線材をＵ字状に曲げてガイドリング２の外側所定範囲を線材で周回すると共に補填部材６の両側面２４の係合溝２４ａに線材を係合させる。二つ折り状態となった線材の両端部５を互いに接近させて支持脚部１１を形成すると共に、線材の両端部５側の所定長さ領域を折り曲げて取付脚部１２を形成する。尚、予め線材を最終形状に近い形状にプリフォームしておき、プリフォームにより二つ折り状態とされた線材の間にガイドリング２と補填部材６を挿入して、ガイドリング２と補填部材６を線材で挟み込むように線材を更に曲げ加工して、ガイドリング２、補填部材６、線材即ちガイドフレーム３を一体化してもよい。尚、ガイドフレーム３とガイドリング２や補填部材６を接着固定してもよい。接着剤は補助的に使用してもよい。
【００３５】
以上のように構成された釣糸ガイド１は、図４のように釣竿のブランク４の外周面に取り付けられる。例えば、ブランク４の上に釣糸ガイド１の取付脚部１２を載置し、取付脚部１２とブランク４とに亘って巻糸７を巻き付けて釣糸ガイド１をブランク４に緊縛する。更に、接着性のある合成樹脂剤を巻糸７の巻き付け部分に塗布して固める。図４において向かって左側が穂先側であるが、ブランク４への取付状態においてガイドリング２は若干穂先側に傾斜した前傾姿勢となる。但し、直立姿勢であってもよいし、その角度は任意である。
【００３６】
以上説明したように、本実施形態の釣糸ガイド１にあっては、金属製の線材がＵ字状に曲げられることによりガイドフレーム３が構成されているので、金属板からなるガイドフレーム３に比して容易に軽量化できる。特に、ガイドフレーム３の全体が一本の線材から形成されたワンピース構成となっているので、細い線径の線材であっても必要な強度を容易に確保することができる。特に、線材として線状パイプ材を使用した場合には、軽量であると共に強度も大きく、しかも、ある程度の外径の大きさも確保できるのでガイドリング２や補填部材６との接触面積を容易に確保することもできる。
【００３７】
また、支持脚部１１と取付脚部１２は二本構成であるので、線材から構成されていても強度を容易に確保することができ、ブランク４への取り付け強度も確保できて安定した取付状態が得られる。
【００３８】
更に、ガイドフレーム３を構成する線材の線径がガイドリング２の中心線Ｔの方向の幅ＷＧに対してそれと等しいかあるいはそれよりも細い場合には、線材の線径を細くしてガイドフレーム３１の軽量化を図りつつもガイドリング２の幅ＷＧを相対的に広くすることができる。従って、釣糸の案内面であるガイドリング２の内周面２ａの中心線Ｔの方向の幅を十分に確保することができ、釣糸をスムーズに案内することができる。
【００３９】
一方、線材をＵ字状に曲げ加工してガイドフレーム３を構成しているので、ガイドフレーム３はガイドリング２の全周のうち所定範囲のみを周回しているが、ガイドフレーム３がガイドリング２の外周面２ｂから離れていく左右二箇所の離反点Ｐ近傍において、ガイドフレーム３とガイドリング２の外周面２ｂとの間の空間を補填部材６の補填部２０が補填しているので、その二箇所の離反点Ｐ近傍において発生しやすい糸絡みが補填部材６の補填部２０によって防止されることになる。特に、補填部材６の補填部２０の外面２３に凹状の曲面部２３ｂが形成されているので、該曲面部２３ｂによって糸絡みがより一層抑制される。
【００４０】
また、補填部材６によってガイドフレーム３とガイドリング２の外周面２ｂとの間の空間が補填されることでガイドリング２の保持力も高まり、釣糸ガイドの強度もアップする。しかも、補填部材６が左右一対の補填部２０とそれを連結する連結部２１を備えた一体構成となっているので、釣糸ガイド１の組み立て製造が容易である。そのうえ、ガイドフレーム３の両支持脚部１１が補填部材６によって架橋されて連結一体化されることになり、ガイドフレーム３とガイドリング２と補填部材６という三つの部材が一体となって釣り糸ガイド１の強度がより一層向上する。特に、補填部材６の左右両側面２４に係合溝２４ａがそれぞれ形成されているので、ガイドフレーム３と補填部材６との一体性がより一層高まって強度もアップする。更に、ガイドリング２の全周のうちガイドフレーム３が周回していない非周回部分４１が補填部材６によって保持されるので、ガイドリング２がガイドフレーム３の枠部１０と補填部材６とによって保持されることになって、ガイドリング２を保持する保持力が高まる。
【００４１】
次に、補填部材６を用いない釣糸ガイド１について図５及び図６を参酌して説明する。図５に示すように、釣糸ガイド１は、ガイドフレーム３と、ガイドリング２とからなる。ガイドフレーム３は、上述したのと同様の構成からなる。そして、上述した補填部材６に代えて、ガイドリング２の外周面２ｂの二箇所に補填用凸部３０が突設されている。該補填用凸部３０は、ガイドフレーム３に取り付けられた状態において、ガイドフレーム３がガイドリング２から離れていく左右二箇所において、ガイドリング２とガイドフレーム３との間の空間を補填するように外側に向けて突出している。
【００４２】
補填用凸部３０の外面（径方向外側の面）は、ガイドフレーム３に当接する当接部３１と、ガイドフレーム３には当接しない非当接部３２とに区分される。当接部３１は、ガイドフレーム３の支持脚部１１の内側の面に沿って略直線状に延びていて、円形のガイドリング２に対して接線方向に延びている。また、非当接部３２は、上述した補填部材６の曲面部２３ｂと同様に、ガイドフレーム３に近づくにつれて、即ち、当接部３１側に向けて、徐々に径方向外側に向かう凹状の曲面部となっている。
【００４３】
また、ガイドリング２の内外方向の肉厚は全周に亘って略一定であってもよいが、図６（ｂ）にも示しているように、ガイドフレーム３が周回する周回部分４０よりもガイドフレーム３が周回しない非周回部分４１の方が厚いことが好ましい。尚、周回部分４０と非周回部分４１の境界部分に補填用凸部３０が位置している。
【００４４】
このように、補填部材６に代えてガイドリング２に補填用凸部３０を形成することにより、図５に示すようにガイドリング２に補填用凸部３０を形成しない場合におけるガイドリング２からガイドフレーム３が離れていく当初の離反点Ｐ’が取付脚部１２側（ブランク４側）に位置ずれして新たな離反点Ｐとなる。そして、このように補填用凸部３０を形成することにより当初の離反点Ｐ’近傍における深い谷状の空間がなくなる、あるいは、浅くなって、新しい離反点Ｐ近傍における糸絡みを防止することができる。特に、補填部材６の曲面部２３ｂと同様に、補填用凸部３０の外面の非当接部３２に曲面部を形成することにより、糸絡みがより一層軽減される。
【００４５】
また、補填部材６を使用しない分だけ部品点数も削減でき、製造も容易であって、より一層の軽量化もできる。更に、ガイドリング２に補填用凸部３０を形成することによってガイドリング２とガイドフレーム３との一体性も高まり釣糸ガイド１の強度も向上する。そして、ガイドリング２の内外方向の肉厚を、周回部分４０に比して非周回部分４１を相対的に厚くすることで、ガイドフレーム３によって保護されていない非周回部分４１の強度を確保することができて非周回部分４１におけるガイドリング２の破損を防止できると共に対糸ガイド１の強度も確保でき、また、ガイドリング２を全周に亘って肉厚にする構成に比して軽量化も図れる。
【００４６】
尚、上記実施形態では、一対の取付脚部１２を揃えて後側に向けて延びる形状としたが、両取付脚部１２の一方を前側に他方を後側に向けてもよい。
【００４７】
また、釣糸ガイド１は、上述したようなブランク４の外周面に取付固定される、いわゆる外ガイドの他、振り出し竿の外周に遊動自在に装着される、いわゆる遊動ガイドであってもよい。
【符号の説明】
【００４８】
１    釣糸ガイド
２    ガイドリング
２ａ  内周面
２ｂ  外周面
３    ガイドフレーム
４    ブランク
５    端部
６    補填部材
７    巻糸
１０    枠部
１１    支持脚部
１２    取付脚部
１３    折り曲げ部
２０    補填部
２１    連結部
２２    内面
２３    外面
２３ａ  円弧状部
２３ｂ  曲面部
２４    側面
２４ａ  係合溝
３０    補填用凸部
３１    当接部
３２    非当接部
４０    周回部分
４１    非周回部分
Ｐ    離反点
Ｐ’  離反点
【図１】
0006408809.tif 000002
【図２】
0006408809.tif 000003
【図３】
0006408809.tif 000004
【図４】
0006408809.tif 000005
【図５】
0006408809.tif 000006
【図６】
0006408809.tif 000007